(57)【要約】【課題】通信システムにおいて、スループット特性を向上させる。【解決手段】基地局装置１の通信制御装置は、移動局装置ごとにあらかじめ定められたメトリックを計算するメトリック計算部１１と、前記メトリック計算部１１により計算されるメトリックに基づいて、メトリックが高い移動局装置から順に、低いレイヤから移動局装置を割り当てるスケジューリングを行うスケジューリング部１２と、前記スケジューリング部１２により行われたスケジューリングの結果に基づいて、レイヤごとにＤＭＲＳ系列を割り当てるＤＭＲＳ系列割り当て部１３と、を備える。【選択図】図１
2013179407.tif 000002
【特許請求の範囲】
【請求項１】
移動局装置ごとにあらかじめ定められたメトリックを計算するメトリック計算部と、
前記メトリック計算部により計算されるメトリックに基づいて、メトリックが高い移動局装置から順に、低いレイヤから移動局装置を割り当てるスケジューリングを行うスケジューリング部と、
前記スケジューリング部により行われたスケジューリングの結果に基づいて、レイヤごとにＤＭＲＳ系列を割り当てるＤＭＲＳ系列割り当て部と、
を備えることを特徴とする通信制御装置。
【請求項２】
前記ＤＭＲＳ系列割り当て部は、最も小さい方からあらかじめ定められた数のレイヤに割り当てられた移動局装置に対して、他のレイヤと完全直交するＤＭＲＳ系列を割り当てる、
ことを特徴とする請求項１に記載の通信制御装置。
【請求項３】
前記最も小さい方からあらかじめ定められた数のレイヤの数が１である、
ことを特徴とする請求項２に記載の通信制御装置。
【請求項４】
前記最も小さい方からあらかじめ定められた数のレイヤの数と、前記他のレイヤの数とは、同一である、
ことを特徴とする請求項２に記載の通信制御装置。
【請求項５】
前記ＤＭＲＳ系列割り当て部は、前記最も小さい方からあらかじめ定められた数のレイヤと前記他のレイヤのうちで、２個以上のレイヤであるものについて、それぞれのレイヤごとに異なるルートシーケンスを割り当てる、
ことを特徴とする請求項２から請求項４のいずれか１項に記載の通信制御装置。
【請求項６】
前記異なるルートシーケンスは、上りリンク信号の送信を指示する制御信号中に含まれているＤＭＲＳサイクリックシフト指示ビットによって一意に決定される、
ことを特徴とする請求項５に記載の通信制御装置。
【請求項７】
メトリック計算部が、移動局装置ごとにあらかじめ定められたメトリックを計算し、
スケジューリング部が、前記メトリック計算部により計算されるメトリックに基づいて、メトリックが高い移動局装置から順に、低いレイヤから移動局装置を割り当てるスケジューリングを行い、
ＤＭＲＳ系列割り当て部が、前記スケジューリング部により行われたスケジューリングの結果に基づいて、レイヤごとにＤＭＲＳ系列を割り当てる、
ことを特徴とする通信制御方法。
【請求項８】
メトリック計算部が、移動局装置ごとにあらかじめ定められたメトリックを計算するステップと、
スケジューリング部が、前記メトリック計算部により計算されるメトリックに基づいて、メトリックが高い移動局装置から順に、低いレイヤから移動局装置を割り当てるスケジューリングを行うステップと、
ＤＭＲＳ系列割り当て部が、前記スケジューリング部により行われたスケジューリングの結果に基づいて、レイヤごとにＤＭＲＳ系列を割り当てるステップと、
をコンピュータに実行させるための通信制御プログラム。
【発明の詳細な説明】
【技術分野】
【０００１】
本発明は、通信制御装置、通信制御方法および通信制御プログラムに関する。
【背景技術】
【０００２】
従来、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されている標準規格の一つとしてＬＴＥ（Ｌｏｎｇ  Ｔｅｒｍ  Ｅｖｏｌｕｔｉｏｎ）が知られている。ＬＴＥは順次改訂されている。
ＬＴＥ  Ｒｅｌ．８〜１０では、上りリンクデータ信号（ＰＵＳＣＨ：Ｐｈｙｓｉｃａｌ  Ｕｐｌｉｎｋ  Ｓｈａｒｅｄ  Ｃｈａｎｎｅｌ）と信号復調時のチャネル等化に利用するチャネルを推定する目的で送信される復調参照信号（ＤＭＲＳ：Ｄｅｍｏｄｕｌａｔｉｏｎ  Ｒｅｆｅｒｅｎｃｅ  Ｓｉｇｎａｌ）に対して、等電力かつ同じプレコーディングを適用して送信する。
【０００３】
無線通信システムにおいて、チャネル推定の誤差は伝搬路の等化を不完全にするため、チャネル推定の誤差が大きくなるほどデータ部の誤り率（例えば、ＢＬＥＲ：Ｂｌｏｃｋ  Ｅｒｒｏｒ  Ｒａｔｅ）が大きくなる。
このため、ＤＭＲＳにおける干渉の影響はできるだけ軽減されることが望ましい。例えば、ＬＴＥ  Ｒｅｌ．１０において、ＳＵ−ＭＩＭＯ（Ｓｉｎｇｌｅ  Ｕｓｅｒ  −  Ｍｕｌｔｉｐｌｅ  Ｉｎｐｕｔ  Ｍｕｌｔｉｐｌｅ  Ｏｕｔｐｕｔ）を利用した複数レイヤ信号の場合、それぞれのレイヤに対応するＤＭＲＳはサイクリックシフト（ＣＳ）による完全直交により、レイヤ間干渉を低減する。
【０００４】
一方、ＬＴＥ  Ｒｅｌ．１０の次のＬＴＥ  Ｒｅｌ．１１では、例えば、１つの移動局装置から送信された上りリンク信号を複数の基地局装置で受信する、ＣｏＭＰ（Ｃｏｏｒｄｉｎａｔｅｄ  Ｍｕｌｔｉｐｌｅ  Ｐｏｉｎｔ）方式が検討されている。
上りリンクでのＣｏＭＰ方式では、同一リソース（例えば、同一の時間、周波数）を利用して他の移動局装置から送信される干渉信号をキャンセルするという用途だけでなく、複数のセルで受信した所望信号を合成して利得を得ることができる一方、チャネル推定誤差の影響による特性劣化が大きいため、高精度なチャネル推定の実現が要求される。
この問題はＭＵ−ＭＩＭＯ（Ｍｕｌｔｉ  Ｕｓｅｒ  −  Ｍｕｌｔｉｐｌｅ  Ｉｎｐｕｔ  Ｍｕｌｔｉｐｌｅ  Ｏｕｔｐｕｔ）にも共通であり、空間多重された移動局装置のＤＭＲＳ同士が互いに干渉を与える場合には、その特性劣化の影響は特に大きい。
【０００５】
以上のようなデータ信号の特性劣化を回避するためには高精度なチャネル推定が求められるが、これを実現するためには、空間多重される移動局装置間で完全直交が成り立つＤＭＲＳを割り当てることにより、電波干渉の影響をキャンセルすることが有効である。
しかしながら、制御信号の制約や直交符号数の上限などの制約によってセル間で完全直交するＤＭＲＳを割り当てられないことがある。この場合には、移動局装置間で、相互相関が低い系列から生成される準直交のＤＭＲＳを割り当てることも有効である。
【０００６】
ＤＭＲＳにおいて準直交を与える手法として、相互相関が低いルートシーケンスを割り当てる手法がある。つまり、異なるルートシーケンスにより生成されたＤＭＲＳが多重された場合には準直交が成立し、完全なキャンセルはできないもののその影響は軽減可能である。
【０００７】
一方、ＤＭＲＳにおいて、完全直交を成立させる手法として、例えば、ＬＴＥでは、サイクリックシフトを利用することが可能である。
サイクリックシフトは、ルートシーケンスに対して、時間領域における信号シフトを行う。
ＤＭＲＳはデータ信号（ＰＵＳＣＨ）と同時に送信されるものであり、一度の送信において、その割り当て周波数は一致している。周波数領域の割り当てが完全に一致する移動局装置同士に対しては、サイクリックシフトを用いて同一のルートシーケンスを多重することにより、完全直交するＤＭＲＳを割り当てることができる。但し、ＣＳによる多重の欠点として、遅延波の影響により直交性が低下すること、多重される二つのＤＭＲＳ系列のルートシーケンスが同一であり、割り当てられる周波数帯域が完全に一致しなければならないことが挙げられる。
【０００８】
このサイクリックシフトの欠点を補うために、例えば、ＬＴＥ  Ｒｅｌ．１０では、ＯＣＣ（Ｏｒｔｈｏｇｏｎａｌ  Ｃｏｖｅｒ  Ｃｏｄｅ）を使用した完全直交を利用することも可能となる。
【０００９】
図９は、ＬＴＥにおける上りリンク（アップリンク）のＤＭＲＳの配置の一例を示す図である。
図９には、時間および周波数の平面におけるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの例を示してある。周波数方向には複数のサブキャリア（Ｓｕｂｃａｒｒｉｅｒ）がある。
また、第１スロットと第２スロットを示してある。各スロットでは、時間方向にＰＵＳＣＨが配置される中で、例えば、一定の周期ごとのタイミングで、ＤＭＲＳが配置される。
第１スロットにおけるＤＭＲＳには、ルートシーケンスとＯＣＣとが乗算部１００１により乗算された結果に基づいてサイクリックシフト部１００２により決められた値（サイクリックシフト）が施される。
同様に、第２スロットにおけるＤＭＲＳには、ルートシーケンスとＯＣＣとが乗算部１０１１により乗算された結果に基づいてサイクリックシフト部１０１２により決められた値（サイクリックシフト）が施される。
【００１０】
この例では、ＯＣＣでは、ルートシーケンスに対して、時間領域（２スロット間）におけるブロック拡散を行う。
ＯＣＣとしては、例えば、［＋１、＋１］または［＋１、−１］を使用することが可能である。
【００１１】
一方で、ＯＣＣによる完全直交が成立するためには、多重される移動局装置それぞれにおいて第１のスロットと第２のスロットのＤＭＲＳ系列が一致する必要がある。これに対し、ＬＴＥ  Ｒｅｌ．１０では、スロット間にセル固有のサイクリックシフトホッピングが適用されるため、ＯＣＣによる直交は同一セル内でしか保証されなかった。この問題を解決するために、非特許文献１では、サイクリックシフトホッピングを無効にすることにより、セル間でのＯＣＣの適用を可能にする技術を開示している（非特許文献１参照。）。
【先行技術文献】
【非特許文献】
【００１２】
【非特許文献１】Ｒ１−１１２５２０，Ｓａｍｓｕｎｇ，“ＵＬ  ＤＭＲＳ  Ｅｎｈａｎｃｅｍｅｎｔｓ  ｉｎ  Ｒｅｌ．１１”，３ＧＰＰ  ＴＳＧ  ＲＡＮ  ＷＧ１＃６６，Ａｕｇｕｓｔ  ２０１１
【発明の概要】
【発明が解決しようとする課題】
【００１３】
上述した非特許文献１の方法には、次のような問題がある。
すなわち、ＯＣＣを利用することによる完全直交が成り立つ多重数は２のままであるが、例えば、ＣｏＭＰにおいて３セクタ間での協調通信を行うのであれば、多重数３が成立することが望ましい。このため、ＯＣＣだけでは多重が完結せず、その他の方式の利用も考慮しなければならないと考えられる。
【００１４】
ここで、例えば、サイクリックシフトを利用する場合には、完全直交は成立するが、周波数リソースの割り当てが完全に一致する必要がある。このため、周波数リソースの割り当てを意図的に一致させない限り、サイクリックシフトによる完全直交の利用は困難である。つまり、ＯＣＣによる完全直交を割り当てた後に、ルートシーケンスによるランダマイズが実現されるようなＤＭＲＳの割り当てを基地局装置などが行わなければならない。
【００１５】
これに関し、非特許文献１では、ＯＣＣの割り当てとルートシーケンスの割り当てに関するスケジューリング手法までは提供していない。
このため、特に優先度が高い移動局装置について、ＤＭＲＳの直交性低下による品質劣化という観点において、リソースが割り当てられることがない。ここで、例えば、ＰＦ（Ｐｒｏｐｏｒｔｉｏｎａｌ  Ｆａｉｒｎｅｓｓ）に基づくスケジューリングを行っている場合には、スループットが低い移動局装置に優先的に良いリソースが割り当てられる。
【００１６】
以上のように、従来では、通信システムにおいて、スループット特性に関し、さらなる向上が望まれていた。
【００１７】
本発明は、このような事情を考慮してなされたもので、通信システムにおいて、スループット特性を向上させることができる通信制御装置、通信制御方法および通信制御プログラムを提供することを課題とする。
【課題を解決するための手段】
【００１８】
（１）上記の課題を解決するために、本発明に係る通信制御装置は、移動局装置ごとにあらかじめ定められたメトリックを計算するメトリック計算部と、前記メトリック計算部により計算されるメトリックに基づいて、メトリックが高い移動局装置から順に、低いレイヤから移動局装置を割り当てるスケジューリングを行うスケジューリング部と、前記スケジューリング部により行われたスケジューリングの結果に基づいて、レイヤごとにＤＭＲＳ系列を割り当てるＤＭＲＳ系列割り当て部と、を備えることを特徴とする。
【００１９】
（２）本発明は、上記した（１）に記載の通信制御装置において、前記ＤＭＲＳ系列割り当て部は、最も小さい方からあらかじめ定められた数のレイヤに割り当てられた移動局装置に対して、他のレイヤと完全直交するＤＭＲＳ系列を割り当てる、ことを特徴とする。
【００２０】
（３）本発明は、上記した（２）に記載の通信制御装置において、前記最も小さい方からあらかじめ定められた数のレイヤの数が１である、ことを特徴とする。
【００２１】
（４）本発明は、上記した（２）に記載の通信制御装置において、前記最も小さい方からあらかじめ定められた数のレイヤの数と、前記他のレイヤの数とは、同一である、ことを特徴とする。
【００２２】
（５）本発明は、上記した（２）から上記した（４）のいずれか１つに記載の通信制御装置において、前記ＤＭＲＳ系列割り当て部は、前記最も小さい方からあらかじめ定められた数のレイヤと前記他のレイヤのうちで、２個以上のレイヤであるものについて、それぞれのレイヤごとに異なるルートシーケンスを割り当てる、ことを特徴とする。
【００２３】
（６）本発明は、上記した（５）に記載の通信制御装置において、前記異なるルートシーケンスは、上りリンク信号の送信を指示する制御信号中に含まれているＤＭＲＳサイクリックシフト指示ビットによって一意に決定される、ことを特徴とする。
【００２４】
（７）上記の課題を解決するために、本発明に係る通信制御方法は、メトリック計算部が、移動局装置ごとにあらかじめ定められたメトリックを計算し、スケジューリング部が、前記メトリック計算部により計算されるメトリックに基づいて、メトリックが高い移動局装置から順に、低いレイヤから移動局装置を割り当てるスケジューリングを行い、ＤＭＲＳ系列割り当て部が、前記スケジューリング部により行われたスケジューリングの結果に基づいて、レイヤごとにＤＭＲＳ系列を割り当てる、ことを特徴とする。
【００２５】
（８）上記の課題を解決するために、本発明に係る通信制御プログラムは、メトリック計算部が、移動局装置ごとにあらかじめ定められたメトリックを計算するステップと、スケジューリング部が、前記メトリック計算部により計算されるメトリックに基づいて、メトリックが高い移動局装置から順に、低いレイヤから移動局装置を割り当てるスケジューリングを行うステップと、ＤＭＲＳ系列割り当て部が、前記スケジューリング部により行われたスケジューリングの結果に基づいて、レイヤごとにＤＭＲＳ系列を割り当てるステップと、をコンピュータに実行させるためのプログラムである。
【発明の効果】
【００２６】
本発明によれば、通信システムにおいて、スループット特性を向上させることができる。
【図面の簡単な説明】
【００２７】
【図１】本発明の一実施形態に係る基地局装置の概略的な構成を示すブロック図である。
【図２】ＣｏＭＰの概略的な構成の一例を示すブロック図である。
【図３】本発明の第１実施形態に係るレイヤ１に対する割り当ての一例を示す図である。
【図４】本発明の第１実施形態に係るレイヤ１〜レイヤ２に対する割り当ての一例を示す図である。
【図５】本発明の第１実施形態に係るレイヤ１〜レイヤ３に対する割り当ての一例を示す図である。
【図６】本発明の第１実施形態に係るＤＭＲＳ系列の割り当ての一例を示す図である。
【図７】本発明の第２実施形態に係るレイヤ１〜レイヤ４に対する割り当ての一例およびＤＭＲＳ系列の割り当ての一例を示す図である。
【図８】本発明の第３実施形態に係るレイヤ１〜レイヤ４に対する割り当ての一例およびＤＭＲＳ系列の割り当ての一例を示す図である。
【図９】ＬＴＥにおける上りリンクのＤＭＲＳの配置の一例を示す図である。
【図１０】アップリンクグラント中のビット列（サイクリックシフトインデックスビット）とサイクリックシフトとＯＣＣとの対応の一例を示す図である。
【図１１】サイクリックシフトインデックスビットとサイクリックシフトとＯＣＣとルートシーケンス番号との対応の一例を示す図である。
【発明を実施するための形態】
【００２８】
以下、図面を参照し、本発明の実施形態について説明する。
【００２９】
［第１実施形態］
本実施形態では、複数の基地局装置（ｅＮＢ）と、複数の移動局装置（ＵＥ）を有する無線通信システムを想定して、説明する。各基地局装置と各移動局装置とが、無線により、通信する。基地局装置から移動局装置へのリンクが下りリンクであり、移動局装置から基地局装置へのリンクが上りリンクである。
また、各基地局装置は、メトリック計算の機能やスケジューリングの機能やＤＭＲＳ系列割り当ての機能を有して、移動局装置との通信を制御する通信制御装置を備える。
【００３０】
本実施形態では、移動局装置から基地局装置への信号を送信する上りリンクを想定し、さらに、アクセススキームとして、周波数領域での割り当てを実施するＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）もしくはＳＣ−ＦＤＭＡ（Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ）を想定して、説明する。
【００３１】
図１は、本発明の一実施形態に係る基地局装置１の概略的な構成を示すブロック図である。
本実施形態に係る基地局装置１は、メトリック計算部１１と、スケジューリング部１２と、ＤＭＲＳ系列割り当て部１３と、制御信号生成部１４と、下りリンク信号生成部１５と、無線送信部１６と、アンテナ１７と、を備える。
【００３２】
本実施形態に係る基地局装置１において行われる動作の例を示す。
基地局装置１において得られる上りチャネルに関する情報（上りチャネル情報）が、メトリック計算部１１に入力される。
メトリック計算部１１は、入力される上りチャネル情報に基づいて、各移動局装置と基地局装置との間の信号の信号応答を考慮して、周波数ブロックごとに割り当て優先度（本実施形態において、「メトリック」とも呼称する）を計算（算出）する。メトリック計算部１１は、計算したメトリックをスケジューリング部１２に出力する。
ここで、本実施形態では、周波数ブロックとして、リソースブロック（ＲＢ：Ｒｅｓｏｕｒｃｅ  Ｂｌｏｃｋ）を用いる。
【００３３】
例えば、ＰＦを利用する場合には、式（１）に基づいて、移動局装置ごとにメトリックＭｅｔｒｉｃ（ｎ，ｋ）が算出される。
【００３４】
［数１］
Ｍｅｔｒｉｃ（ｎ, ｋ）＝Ｂ（ｌｏｇ２（１＋ＳＩＮＲ（ｋ）））／ｔｈｒｏｕｇｈｐｕｔ（ｎ−ｘ）
・・・（１）
【００３５】
ここで、ｎは、サブフレームを表し、ｋはリソースブロック（もしくはリソースブロックのグループ）の位置を示すインデックスである。Ｂはメトリックの算出に利用したリソースブロックに一致する周波数帯域幅（Ｈｚ）に相当する。
ＳＩＮＲ（ｋ）は、信号等化後のＳＩＮＲ（本実施形態において、等化ＳＩＮＲとも呼称する）を単位リソースブロック（ｋ）あたりで算出したものを表す。
ｔｈｒｏｕｇｈｐｕｔは、ＳＩＮＲを算出した単位リソースブロックに相当する周波数帯域幅を表す。ｔｈｒｏｕｇｈｐｕｔ（ｎ−ｘ）は、移動局装置ごとに算出されるサブフレームｎ−ｘまでに実現されたスループットを表す。ｘは基地局装置の処理遅延時間である。
サブフレームとは、基地局装置におけるスケジューリングの最小単位であり、例えば、ＬＴＥでは１ｍｓに相当する。
式（１）により、スループットが低い移動局装置ほどメトリックが高くなる。
【００３６】
ここで、等化ＳＩＮＲに関して、例えば、それぞれ２本のアンテナを有する３個の基地局装置により３個のセクタが構成されおり、その３個での信号受信を実施するＣｏＭＰを想定すると、合計で６本の受信アンテナを想定したＳＩＮＲが計算される。
【００３７】
図２は、ＣｏＭＰの概略的な構成の一例を示すブロック図である。
この例では、第１の基地局装置の２本のアンテナ１１１、１１２により第１のセクタ（セクタ１）が構成されており、第２の基地局装置の２本のアンテナ１２１、１２２により第２のセクタ（セクタ２）が構成されており、第３の基地局装置の２本のアンテナ１３１、１３２により第３のセクタ（セクタ３）が構成されている。また、各移動局装置２０１〜２０３から無線送信される信号は、各基地局装置のアンテナ１１１、１１２、１２１、１２２、１３１、１３２により受信される。
【００３８】
スケジューリング部１２は、メトリック計算部１１から入力されるメトリックに基づいて、移動局装置の周波数スケジューリングを行う。スケジューリング部１２は、周波数スケジューリングの最終の結果をＤＭＲＳ系列割り当て部１３に出力する。また、スケジューリング部１２は、周波数スケジューリングの結果を、フィードバックのために、メトリック計算部１１に出力する。
【００３９】
ここで、スケジューリング部１２により行われる周波数スケジューリングについて説明する。
本実施形態では、割り当ての方針として、リソースブロックもしくはリソースブロックグループ（複数のリソースブロックをまとめたもの）に対し、メトリックが最大となる移動局装置を割り当てる動作を行い、優先度（メトリック）が高い移動局装置から順に低いレイヤから移動局装置を割り当てて多重する。
本実施形態では、まず、ＭＩＭＯによる空間多重を考慮した複数のレイヤへの割り当ては行わず、１番目のレイヤ（レイヤ１）に対してのみ割り当てを行う。
【００４０】
図３は、レイヤ１に対する割り当ての一例を示す図である。横軸は周波数を表す。
この例では、スケジューリング部１２により行われる１回目の割り当てにおいて、レイヤ１の周波数について、第３の移動局装置（ＵＥ３）、第１の移動局装置（ＵＥ１）、第４の移動局装置（ＵＥ４）、第１０の移動局装置（ＵＥ１０）に割り当てが行われたものとする。
図３に示されるように、この段階においては、同一の周波数リソース（ＲＢ）に対する複数の移動局装置の割り当ては行われない。
【００４１】
スケジューリング部１２は、レイヤ１の割り当てが完了すると、この周波数割り当ての情報（周波数スケジューリングの途中の結果）を、フィードバックのために、メトリック計算部１１に出力する。
メトリック計算部１１は、スケジューリング部１２から入力される周波数割り当ての情報（周波数スケジューリングの途中の結果）に基づいて、既に割り当てられた移動局装置の存在を考慮したメトリックを計算する（メトリックを再計算する）。メトリックを計算する具体的な手順は、先に説明したものと同じである。メトリック計算部１１は、計算したメトリックをスケジューリング部１２に出力する。
【００４２】
続いて、スケジューリング部１２は、メトリック計算部１１から入力されるメトリックに基づいて、移動局装置の周波数スケジューリングを行う。
このときの割り当ての手順の概略は先に説明したものと同様であるが、先の処理と異なる点として、レイヤ１の存在を考慮して、今回は、２番目のレイヤ（レイヤ２）のみの割り当てを行う。
【００４３】
ここで、「レイヤ１の存在を考慮」する点について説明する。
すなわち、既にレイヤ１に割り当てられている移動局装置（ＵＥ３、ＵＥ１、ＵＥ４、ＵＥ１０）については、レイヤ２への割り当てにより干渉の影響を受け、レイヤ２に割り当てられる移動局装置に応じたメトリックの低下が発生する。なお、レイヤ１とレイヤ２とは、空間的に多重されたとしても、レイヤ間干渉の影響により少なからずメトリックの低下が発生する。このメトリックの低下量はチャネル状態に依存するため、ＵＥごとに異なる値となる。
このため、スケジューリング部１２は、このようなメトリックの低下を考慮して、合計のメトリックが最大となる移動局装置をレイヤ２に割り当てる。
【００４４】
図４は、レイヤ１〜レイヤ２に対する割り当ての一例を示す図である。横軸は周波数を表す。
レイヤ１に対する割り当ては、図３に示されるものと同じである。
この例では、スケジューリング部１２により行われる２回目の割り当てにおいて、レイヤ２の周波数について、第２の移動局装置（ＵＥ２）、第６の移動局装置（ＵＥ６）、第９の移動局装置（ＵＥ９）に割り当てが行われたものとする。
なお、図４に示される「割り当て無し」の部分には、移動局装置が割り当てられていない。つまり、ＵＥを割り当てることにより増加するメトリックと、減少するＵＥ３のメトリックの合計が負の値となるようなケースにおいて、このような状況が発生する。
【００４５】
スケジューリング部１２は、レイヤ２の割り当てが完了すると、この周波数割り当ての情報（周波数スケジューリングの途中の結果）を、フィードバックのために、メトリック計算部１１に出力する。
メトリック計算部１１は、スケジューリング部１２から入力される周波数割り当ての情報（周波数スケジューリングの途中の結果）に基づいて、既に割り当てられた移動局装置の存在を考慮したメトリックを計算する（メトリックを再計算する）。メトリックを計算する具体的な手順は、先に説明したものと同じである。メトリック計算部１１は、計算したメトリックをスケジューリング部１２に出力する。
【００４６】
このようなメトリック計算部１１およびスケジューリング部１２の再帰的処理は、基地局装置により決められた最大レイヤ数まで、同様に繰り返すことができる。
この例では、最大レイヤ数が３であるとする。
図５は、この例において最終的な割り当てである、レイヤ１〜レイヤ３に対する割り当ての一例を示す図である。
レイヤ１およびレイヤ２に対する割り当ては、図４に示されるものと同じである。
この例では、スケジューリング部１２により行われる３回目の割り当てにおいて、３番目のレイヤ（レイヤ３）の周波数について、第７の移動局装置（ＵＥ７）、第５の移動局装置（ＵＥ５）、第８の移動局装置（ＵＥ８）に割り当てが行われたものとする。
なお、図５に示される「割り当て無し」の部分には、移動局装置が割り当てられていない。
【００４７】
スケジューリング部１２は、レイヤ３までの割り当てが完了すると、この周波数割り当ての情報（本実施形態において、周波数スケジューリングの最終の結果）を、ＤＭＲＳ系列割り当て部１３に出力する。
このように、スケジューリング部１２における規定の回数の割り当てを終えた後の出力は、ＤＭＲＳ系列割り当て部１３に入力される。
【００４８】
ＤＭＲＳ系列割り当て部１３は、スケジューリング部１２から入力される周波数スケジューリングの最終の結果に基づいて、ＤＭＲＳ系列の割り当てを行う。ＤＭＲＳ系列割り当て部１３は、ＤＭＲＳ系列の割り当ての結果を制御信号生成部１４に出力する。
本実施形態では、ＤＭＲＳ系列割り当て部１３は、レイヤごとに、割り当てるＤＭＲＳ系列を決定して、決定したＤＭＲＳ系列を当該レイヤごとの移動局装置に割り当てる。
【００４９】
図６は、ＤＭＲＳ系列の割り当ての一例を示す図である。
この例では、ＤＭＲＳ系列割り当て部１３は、図５に示されるものと同じ周波数スケジューリングの最終の結果について、レイヤ１に対してＯＣＣの［＋１、＋１］を割り当て、レイヤ２およびレイヤ３に対してＯＣＣの［＋１、−１］を割り当てる。また、ＤＭＲＳ系列割り当て部１３は、レイヤ２に第１のルートシーケンス（ルートシーケンス１）を割り当て、レイヤ３に第２のルートシーケンス（ルートシーケンス２）を割り当てることで、レイヤ２、３の間ではＤＭＲＳ系列をランダマイズする。
【００５０】
なお、第１のルートシーケンスと第２のルートシーケンスとは、異なるものである。
また、本実施形態では、レイヤ１に対してＯＣＣの［＋１、＋１］を割り当て、レイヤ２およびレイヤ３に対してＯＣＣの［＋１、−１］を割り当てるが、これとは逆に、レイヤ１に対してＯＣＣの［＋１、−１］を割り当て、レイヤ２およびレイヤ３に対してＯＣＣの［＋１、＋１］を割り当てることも可能である。
また、例えば、レイヤ１に対しては、任意のルートシーケンスが割り当てられてもよい。
【００５１】
ここで、本実施形態では、ＤＭＲＳにおける完全直交はＯＣＣのみにより達成されるものとし、その符号は［＋１、＋１］、［＋１、−１］のみが存在するものとする。また、本実施形態では、ＤＭＲＳのルートシーケンスをランダマイズさせるための系列の指定が可能であり、基地局装置から移動局装置に送信する制御信号により当該指定を実現することが可能であるとする。
具体的には、本実施形態では、基地局装置から移動局装置に対して第１のルートシーケンスおよび第２のルートシーケンスを指定することが可能であり、これらのルートシーケンスの相互相関は十分に低いと想定する。
【００５２】
上述したスケジューリング部１２の動作の説明の通り、優先度（メトリック）が高い移動局装置は低い番号のレイヤに割り当てられている。このため、最も低い番号のレイヤであるレイヤ１を他のレイヤと完全直交させて、ＤＭＲＳのチャネル推定精度の影響を低減させることにより、通信の公平性を高めることができる。
一方、他のレイヤ（本実施形態では、レイヤ２およびレイヤ３）には優先度が低い移動局装置が割り当てられる傾向があることから、これらのレイヤの間には異なるルートシーケンスを割り当てることにより、系列のランダマイズが可能となる。
【００５３】
制御信号生成部１４は、ＤＭＲＳ系列割り当て部１３から入力されるＤＭＲＳ系列の割り当ての結果に基づいて、制御信号を生成する。制御信号生成部１４は、生成した制御信号を下りリンク信号生成部１５に出力する。
具体的には、ＤＭＲＳ系列割り当て部１３から制御信号生成部１４に出力されるＤＭＲＳ系列の割り当ての結果には、ＯＣＣの割り当ての結果とルートシーケンスの割り当ての結果が含まれる。そして、制御信号生成部１４は、ＤＭＲＳ系列割り当て部１３から入力されるＤＭＲＳ系列の割り当ての結果（ＯＣＣの割り当ての結果とルートシーケンスの割り当ての結果）に基づいて、それぞれの移動局装置に送信する制御信号を生成する。
【００５４】
ここで、制御信号生成部１４により生成される制御信号は、上りリンク信号の送信を指示するものであり、アップリンクグラント（ＵＬ  Ｇｒａｎｔ）と呼称する。
アップリンクグラントには、割り当てリソースブロックの情報、変調方式の情報、符号化率の情報などとともに、ＤＭＲＳの系列の情報が含まれる。
ＤＭＲＳの系列の情報は、本実施形態では、ＯＣＣを特定する情報と、ルートシーケンスを特定する情報を有し、具体的には、ＯＣＣが［＋１、＋１］であるかまたは［＋１、−１］であるかを特定する情報と、ルートシーケンスが第１のルートシーケンスであるかまたは第２のルートシーケンスであるかを特定する情報である。
【００５５】
アップリンクグラントによるＯＣＣとルートシーケンスの具体的な通知方法の例としては、以下のような（通知方法の例１）〜（通知方法の例２）が考えられる。
（通知方法の例１）
（Ａ）異なるセル間でＯＣＣの完全直交を成立させるためには、第１スロットと第２スロットで全てのセクタで共通のサイクリックシフトホッピングパターンを適用させる必要がある。一方で、後方互換性のために、セルごとに決定されるサイクリックシフトホッピングパターンにも対応しなければならない。これを識別するための１ビット（切り替えビットと呼称する）をアップリンクグラントに導入する。例えば、このビットが０であれば全てのセクタで共通のサイクリックシフトホッピングパターンを利用し、このビットが１であれば、セルごとに決定されるサイクリックシフトホッピングパターンを利用する。
【００５６】
（Ｂ）ＬＴＥ Ｒｅｌ．１０において、ＤＭＲＳに適用するサイクリックシフトおよびＯＣＣは、アップリンクグラントに付与された３ビット（サイクリックシフトインデックスビット）によって図１０に示されるように指定される。図１０において、サイクリックシフトおよびＯＣＣの列に示された０〜３の値は、ＳＵ−ＭＩＭＯ（Ｓｉｎｇｌｅ Ｕｓｅｒ ＭＩＭＯ）を利用した時に、複数のストリームを空間多重して送信した場合の、各ストリームに適用されるサイクリックシフト、およびＯＣＣを表すものである。シングルストリームの場合は「０」の列のサイクリックシフトおよびＯＣＣが利用される。切り替えビットが０のときは、この図の通りのサイクリックシフトおよびＯＣＣの指定を行う。一方、切り替えビットが１の場合はサイクリックシフトインデックスビットによってルートシーケンスも指定可能なようにする。この一例を図１１に示す。
【００５７】
図１０は、アップリンクグラント中のビット列（サイクリックシフトインデックスビット）とサイクリックシフトとＯＣＣとの対応の一例を示す図である。
図１１は、サイクリックシフトインデックスビット（ＤＭＲＳサイクリックシフト指示ビット）とサイクリックシフトとＯＣＣとルートシーケンス番号との対応の一例を示す図である。
【００５８】
図６に示されたＵＥの割り当てを例とし、各ＵＥに対するサイクリックシフトインデックスビットの割り当ての一例を示す。まず、切り替えビットはすべてのＵＥに対して１が指定される。次に、レイヤ１に割り当てられたＵＥ１、ＵＥ３、ＵＥ４、ＵＥ１０はＯＣＣ［＋１、＋１］を割り当てるため、サイクリックシフトインデックスビットは０００（もしくは０１１、１００、１１１）をセットする。レイヤ２に割り当てられたＵＥ２、ＵＥ６、ＵＥ９は［＋１、−１］を割り当てる一方、レイヤ３とは異なるルートシーケンスを割り当てたいため、すべて共通のルートシーケンス（ここではＳ１とする）を割り当てるためにサイクリックシフトインデックスビットは００１（もしくは１１０）をセットする。レイヤ３に割り当てられたＵＥ５、ＵＥ７は［＋１、−１］を割り当てる一方、レイヤ２とは異なるルートシーケンスを割り当てるため、ルートシーケンスＳ２を指定できるサイクリックシフトインデックスビット０１０（もしくは１０１）をセットする。一方、ＵＥ８については、ＵＥ９と割り当て帯域が一致しているため、サイクリックシフトによる完全直交が可能となる。この場合、ＵＥ９と同じＯＣＣ［＋１、−１］、同じルートシーケンスＳ１で、異なるサイクリックシフトを割り当てることが適切であるため、サイクリックシフトインデックスビットには１１０を指定する。
【００５９】
（通知方法の例２）
（Ａ）切り替えビット２ビットをアップリンクグラントに導入する。例えば、このビットが００であれば、全てのセクタで共通のサイクリックシフトホッピングパターンを利用し、このビットが０１であれば、セルごとに決定されるサイクリックシフトホッピングパターンを利用すると同時に、ルートシーケンスにＳ１を利用する。切り替えビットが１０であれば、セルごとに決定されるサイクリックシフトホッピングパターンを利用すると同時に、ルートシーケンスにＳ２を利用する。
なお、ルートシーケンスＳ１、Ｓ２は、ルートシーケンスを発生させる疑似ランダム系列の発生の種（Ｓｅｅｄ）として指定することができる。
【００６０】
基地局装置１において得られる下り送信データが、下りリンク信号生成部１５に入力される。
下りリンク信号生成部１５は、入力される下り送信データの信号と、制御信号生成部１４から入力される制御信号（アップリンクグラント）と、必要であればそのほかの下り信号と、を多重して下りリンク信号を生成する。下りリンク信号生成部１５は、生成した下りリンク信号を無線送信部１６に出力する。
【００６１】
無線送信部１６は、下りリンク信号生成部１５から入力される下りリンク信号を、無線送信用の信号にして、アンテナ１７に出力する。この信号は、アンテナ１７から無線により、それぞれの移動局装置に送信される。
それぞれの移動局装置は、基地局装置１（アンテナ１７）から自局（当該移動局装置）あてに送信された制御信号（アップリンクグラント）を検出し、検出した制御信号（アップリンクグラント）の情報に従った処理を行う。本実施形態では、それぞれの移動局装置は、例えば、検出した自局あての制御信号（アップリンクグラント）の情報の通りに、ＤＭＲＳを生成して基地局装置に送信する。
【００６２】
このように、本実施形態では、基地局装置１は、スケジューリングを行った後に、移動局装置に対するＤＭＲＳ系列の割り当て（本実施形態では、ＯＣＣおよびルートシーケンスの割り当て）を行って、そのＤＭＲＳ系列の割り当ての結果の情報を各移動局装置に無線送信することで通知する。各移動局装置は、基地局装置１から通知（無線受信）されたＤＭＲＳ系列の割り当ての結果の情報に基づいて、ＤＭＲＳ系列の生成（本実施形態では、ＯＣＣおよびルートシーケンスを用いたＤＭＲＳ系列の生成）を行って、送信信号を生成する。
【００６３】
以上のように、本実施形態に係る無線通信システムでは、複数の移動局装置から無線送信される信号が空間多重により多重されたものを受信する基地局装置１において、当該基地局装置１は、移動局装置ごとに優先性を考慮したメトリック（あらかじめ定められたメトリック）を計算するメトリック計算部１１と、計算されるメトリックに応じて、優先度（メトリック）が高い移動局装置から順に、低いレイヤから移動局装置を割り当てて多重するスケジューリング部１２と、レイヤごとに割り当てるＤＭＲＳ系列を決定するＤＭＲＳ系列割り当て部１３と、を備える。
【００６４】
また、本実施形態に係る基地局装置１では、ＤＭＲＳ系列割り当て部１３は、最も小さい１個のレイヤ（本実施形態では、レイヤ１）に割り当てられた移動局装置に対して、他のレイヤ（本実施形態では、レイヤ２およびレイヤ３）と完全直交するＤＭＲＳ系列を割り当て、また、前記１個のレイヤ以外のレイヤに割り当てられた移動局装置に対して、それぞれのレイヤ（本実施形態では、レイヤ２およびレイヤ３）ごとに異なるルートシーケンスを割り当てる。
【００６５】
以上のように、本実施形態に係る無線通信システムにおける基地局装置１によると、優先度（メトリック）が高い移動局装置のチャネル推定精度を高めるＤＭＲＳ系列の割り当てを実現することができ、この結果として、通信システムにおいて、スループット特性を向上させることができる。
【００６６】
［第２実施形態］
本実施形態では、第１実施形態とは異なる点について詳しく説明し、第１実施形態と同様な点については詳しい説明を省略する。また、本実施形態では、図１に示されるのと同じ符号を用いて説明する。
【００６７】
スケジューリング部１２により行われる周波数スケジューリングに関し、第１実施形態では最大レイヤ数が３である場合の例を示したが、同様な技術を、最大レイヤ数が４以上である場合に拡張して適用することが可能である。本実施形態では、この場合について説明する。
なお、本実施形態では、最大レイヤ数が４である場合の例を示すが、最大レイヤ数が５以上である場合についても同様に適用することが可能である。
【００６８】
図７は、この例において最終的な割り当てである、レイヤ１〜レイヤ４に対する割り当ての一例およびＤＭＲＳ系列の割り当ての一例を示す図である。
レイヤ１〜レイヤ３に対する割り当ては、図５に示されるものと同じである。
この例では、スケジューリング部１２により行われる４回目の割り当てにおいて、４番目のレイヤ（レイヤ４）の周波数について、第１１の移動局装置（ＵＥ１１）に割り当てが行われたものとする。
なお、図７に示される「割り当て無し」の部分には、移動局装置が割り当てられていない。
【００６９】
本実施形態では、スケジューリング部１２は、レイヤ４の割り当てが完了すると、この周波数割り当ての情報（本実施形態において、周波数スケジューリングの最終の結果）を、ＤＭＲＳ系列割り当て部１３に出力する。
【００７０】
ここで、本実施形態では、最大で３個のルートシーケンスを使用することが可能であるとする。
具体的には、本実施形態では、基地局装置から移動局装置に対して第１のルートシーケンス、第２のルートシーケンスおよび第３のルートシーケンスを指定することが可能であり、これらのルートシーケンスの相互相関は十分に低いと想定する。
【００７１】
図７に示される例では、ＤＭＲＳ系列割り当て部１３は、周波数スケジューリングの最終の結果について、レイヤ１に対してＯＣＣの［＋１、＋１］を割り当て、他のレイヤ（レイヤ２〜レイヤ４）に対してＯＣＣの［＋１、−１］を割り当てる。また、ＤＭＲＳ系列割り当て部１３は、レイヤ２に第１のルートシーケンス（ルートシーケンス１）を割り当て、レイヤ３に第２のルートシーケンス（ルートシーケンス２）を割り当て、レイヤ４に第３のルートシーケンス（ルートシーケンス３）を割り当てることで、レイヤ２、３、４の間ではＤＭＲＳ系列をランダマイズする。
【００７２】
なお、第１のルートシーケンスと第２のルートシーケンスと第３のルートシーケンスは、それぞれ異なるものである。
また、本実施形態では、レイヤ１に対してＯＣＣの［＋１、＋１］を割り当て、他のレイヤ（本実施形態では、レイヤ２〜レイヤ４）に対してＯＣＣの［＋１、−１］を割り当てるが、これとは逆に、レイヤ１に対してＯＣＣの［＋１、−１］を割り当て、他のレイヤ（本実施形態では、レイヤ２〜レイヤ４）に対してＯＣＣの［＋１、＋１］を割り当てることも可能である。
また、例えば、レイヤ１に対しては、任意のルートシーケンスが割り当てられてもよい。
【００７３】
また、本実施形態では、アップリンクグラントに含まれるＤＭＲＳの系列の情報は、ＯＣＣを特定する情報と、ルートシーケンスを特定する情報を有し、具体的には、ＯＣＣが［＋１、＋１］であるかまたは［＋１、−１］であるかを特定する情報と、ルートシーケンスが第１のルートシーケンスであるかまたは第２のルートシーケンスであるかまたは第３のルートシーケンスであるかを特定する情報である。
【００７４】
このように、本実施形態では、ＤＭＲＳ系列割り当て部１３は、最も優先度が高いレイヤ（レイヤ１）とそれ以外のレイヤ（２番目以降の全てのレイヤ）とで異なるＯＣＣを割り当て、また、当該それ以外のレイヤ（２番目以降の全てのレイヤ）の中ではそれぞれのレイヤに異なるルートシーケンスを割り当てることにより、ＤＭＲＳ系列を割り当てる。
【００７５】
以上のように、本実施形態に係る基地局装置１では、ＤＭＲＳ系列割り当て部１３は、最も小さい１個のレイヤ（本実施形態では、レイヤ１）に割り当てられた移動局装置に対して、他のレイヤ（２番目以降のレイヤ）と完全直交するＤＭＲＳ系列を割り当て、また、前記１個のレイヤ以外のレイヤに割り当てられた移動局装置に対して、それぞれのレイヤ（２番目以降のレイヤ）ごとに異なるルートシーケンスを割り当てる。
【００７６】
以上のように、本実施形態に係る無線通信システムにおける基地局装置１によると、優先度（メトリック）が高い移動局装置のチャネル推定精度を高めるＤＭＲＳ系列の割り当てを実現することができ、この結果として、通信システムにおいて、スループット特性を向上させることができる。
【００７７】
［第３実施形態］
本実施形態では、第１実施形態とは異なる点について詳しく説明し、第１実施形態と同様な点については詳しい説明を省略する。また、本実施形態では、図１に示されるのと同じ符号を用いて説明する。
【００７８】
スケジューリング部１２により行われる周波数スケジューリングに関し、第１実施形態では最大レイヤ数が３である場合の例を示したが、本実施形態では、最大レイヤ数が４以上である場合について説明する。
なお、本実施形態では、最大レイヤ数が４である場合を例として説明する。
【００７９】
図８は、この例において最終的な割り当てである、レイヤ１〜レイヤ４に対する割り当ての一例およびＤＭＲＳ系列の割り当ての一例を示す図である。
レイヤ１〜レイヤ３に対する割り当ては、図５に示されるものと同じである。
この例では、スケジューリング部１２により行われる４回目の割り当てにおいて、４番目のレイヤ（レイヤ４）の周波数について、第１１の移動局装置（ＵＥ１１）に割り当てが行われたものとする。
なお、図８に示される「割り当て無し」の部分には、移動局装置が割り当てられていない。
【００８０】
本実施形態では、スケジューリング部１２は、レイヤ４の割り当てが完了すると、この周波数割り当ての情報（本実施形態において、周波数スケジューリングの最終の結果）を、ＤＭＲＳ系列割り当て部１３に出力する。
【００８１】
ここで、本実施形態では、２個のルートシーケンスを使用することが可能であるとする。
具体的には、本実施形態では、基地局装置から移動局装置に対して第１のルートシーケンスおよび第２のルートシーケンスを指定することが可能であり、これらのルートシーケンスの相互相関は十分に低いと想定する。
【００８２】
図８に示される例では、ＤＭＲＳ系列割り当て部１３は、周波数スケジューリングの最終の結果について、レイヤ１およびレイヤ２に対してＯＣＣの［＋１、＋１］を割り当て、他のレイヤ（レイヤ３〜レイヤ４）に対してＯＣＣの［＋１、−１］を割り当てる。また、ＤＭＲＳ系列割り当て部１３は、レイヤ１に第１のルートシーケンス（ルートシーケンス１）を割り当て、レイヤ２に第２のルートシーケンス（ルートシーケンス２）を割り当てることで、レイヤ１、２の間ではＤＭＲＳ系列をランダマイズする。また、ＤＭＲＳ系列割り当て部１３は、レイヤ３に第１のルートシーケンス（ルートシーケンス１）を割り当て、レイヤ４に第２のルートシーケンス（ルートシーケンス２）を割り当てることで、レイヤ３、４の間ではＤＭＲＳ系列をランダマイズする。
【００８３】
なお、第１のルートシーケンスと第２のルートシーケンスと第３のルートシーケンスは、それぞれ異なるものである。
また、本実施形態では、レイヤ１およびレイヤ２に対してＯＣＣの［＋１、＋１］を割り当て、他のレイヤ（本実施形態では、レイヤ３〜レイヤ４）に対してＯＣＣの［＋１、−１］を割り当てるが、これとは逆に、レイヤ１およびレイヤ２に対してＯＣＣの［＋１、−１］を割り当て、他のレイヤ（本実施形態では、レイヤ３〜レイヤ４）に対してＯＣＣの［＋１、＋１］を割り当てることも可能である。
【００８４】
図８に示される例では、レイヤ１およびレイヤ２のグループとレイヤ３およびレイヤ４のグループとにグループ分けして、ＯＣＣによる完全直交を各グループの間で実現している。
このように２個のレイヤごとのグループに分けると、必要となるルートシーケンスが２個となり、ルートシーケンスを指示する制御信号の情報量を削減することが可能である。
【００８５】
以上のように、本実施形態に係る基地局装置１では、ＤＭＲＳ系列割り当て部１３は、最も小さい方から２個のレイヤ（本実施形態では、レイヤ１およびレイヤ２）に割り当てられた移動局装置に対して、他の２個のレイヤ（本実施形態では、レイヤ３およびレイヤ４）と完全直交するＤＭＲＳ系列を割り当て、また、２個のレイヤのグループのそれぞれに割り当てられた移動局装置に対して、それぞれのグループにおいて、それぞれのレイヤごとに異なるルートシーケンスを割り当てる。
【００８６】
以上のように、本実施形態に係る無線通信システムにおける基地局装置１によると、それぞれの大きさの優先度（メトリック）を有する移動局装置のチャネル推定精度を同等程度にするようなＤＭＲＳ系列の割り当てを実現することができ、この結果として、通信システムにおいて、スループット特性を向上させることができる。
また、本実施形態に係る基地局装置１によると、２個ずつのレイヤでグループ分けすることで、必要となるルートシーケンスの個数を少なくする（つまり、２個とする）ことが可能である。
【００８７】
［以上の実施形態に関する構成例］
以上の実施形態に関する構成例を示す。
最大レイヤ数がＭ（Ｍは、３以上の整数）であるとする。
すなわち、基地局装置１では、ＤＭＲＳ系列割り当て部１３は、最も小さい方からＮ（Ｎは１以上で（Ｍ−１）以下である整数）個のレイヤに割り当てられた移動局装置に対して、他のレイヤと完全直交するＤＭＲＳ系列を割り当てる。また、前記Ｎが２以上である場合には、前記Ｎ個のレイヤに割り当てられた移動局装置に対して、それぞれのレイヤごとに異なるルートシーケンスを割り当てる。また、前記Ｎ個のレイヤ以外のレイヤ（前記他のレイヤであって、（Ｍ−Ｎ）個のレイヤ）の数が２以上である場合には、前記Ｎ個のレイヤ以外のレイヤ（前記他のレイヤ）に割り当てられた移動局装置に対して、それぞれのレイヤごとに異なるルートシーケンスを割り当てる。
【００８８】
ここで、第１実施形態では、図６に、Ｍ＝３、Ｎ＝１の例を示した。
また、第２実施形態では、図７に、Ｍ＝４、Ｎ＝１の例を示した。
また、第３実施形態では、図８に、Ｍ＝４、Ｎ＝２の例を示した。
【００８９】
なお、第１実施形態や第２実施形態のように、優先度（メトリック）が高い移動局装置のチャネル推定精度を高めるＤＭＲＳ系列の割り当てを実現するという点では、例えば、Ｎ＝１が最も好ましいと考えられ、また、Ｎが２以上である場合には、Ｎ＜（Ｍ／２）で、Ｎの値が小さい方が好ましいと考えられる。
また、第３実施形態のように、それぞれの大きさの優先度（メトリック）を有する移動局装置のチャネル推定精度を同等程度にするようなＤＭＲＳ系列の割り当てを実現するという点では、Ｎ＝（Ｍ／２）であるか、または、Ｎがそれに近い値である方が好ましいと考えられる。
また、ＮとＭの値については、これらに限られず、任意の値を用いる構成とすることが可能である。
【００９０】
［通信制御装置の構成例］
通信制御装置の構成例である（構成例１）〜（構成例５）を示す。
なお、以上の実施形態では、基地局装置１に通信制御装置の機能を備えたが、通信制御装置の機能が基地局装置１とは別に備えられる構成が用いられてもよい。
【００９１】
（構成例１）
移動局装置ごとにあらかじめ定められたメトリックを計算するメトリック計算部１１と、前記メトリック計算部１１により計算されるメトリックに基づいて、メトリックが高い移動局装置から順に、低いレイヤから移動局装置を割り当てるスケジューリングを行うスケジューリング部１２と、前記スケジューリング部１２により行われたスケジューリングの結果に基づいて、レイヤごとにＤＭＲＳ系列を割り当てるＤＭＲＳ系列割り当て部１３と、を備えることを特徴とする通信制御装置である。
なお、具体例は、第１実施形態〜第３実施形態である。
【００９２】
（構成例２）
前記ＤＭＲＳ系列割り当て部１３は、最も小さい方からあらかじめ定められた数のレイヤに割り当てられた移動局装置に対して、他のレイヤと完全直交するＤＭＲＳ系列（以上の実施形態では、ＯＣＣ）を割り当てる、ことを特徴とする（構成例１）に記載の通信制御装置である。
なお、具体例は、第１実施形態〜第３実施形態である。
【００９３】
（構成例３）
前記最も小さい方からあらかじめ定められた数のレイヤの数が１である、ことを特徴とする（構成例２）に記載の通信制御装置である。
なお、具体例は、第１実施形態〜第２実施形態である。
【００９４】
（構成例４）
前記最も小さい方からあらかじめ定められた数のレイヤの数と、前記他のレイヤの数とは、同一である、ことを特徴とする（構成例２）に記載の通信制御装置である。
なお、具体例は、第３実施形態である。
【００９５】
（構成例５）
前記ＤＭＲＳ系列割り当て部１３は、前記最も小さい方からあらかじめ定められた数のレイヤと前記他のレイヤのうちで、２個以上のレイヤであるものについて、それぞれのレイヤごとに異なるルートシーケンスを割り当てる、ことを特徴とする（構成例２）から（構成例４）のいずれか１つに記載の通信制御装置である。
なお、具体例は、第１実施形態〜第３実施形態である。
【００９６】
（構成例６）
前記異なるルートシーケンスは、上りリンク信号の送信を指示する制御信号中に含まれているＤＭＲＳサイクリックシフト指示ビットによって一意に決定される、ことを特徴とする（構成例５）に記載の通信制御装置である。
なお、具体例は、第１実施形態である。
【００９７】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００９８】
また、以上に示した各実施形態に係る基地局装置１などの機能（例えば、基地局装置１が有する通信制御装置などの機能）を実現するためのプログラムをコンピュータ読み取り可能な記録媒体に記録して、この記録媒体に記録されたプログラムをコンピュータシステムに読み込ませ、実行することにより、処理を行ってもよい。
【００９９】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【０１００】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１０１】
１…基地局装置、１１…メトリック計算部、１２…スケジューリング部、１３…ＤＭＲＳ系列割り当て部、１４…制御信号生成部、１５…下りリンク信号生成部、１６…無線送信部、１７、１１１、１１２、１２１、１２２、１３１、１３２…アンテナ、２０１〜２０３…移動局装置、１００１、１０１１…乗算部、１００２、１０１２…サイクリックシフト部
【図１】
2013179407.tif 000003
【図２】
2013179407.tif 000004
【図３】
2013179407.tif 000005
【図４】
2013179407.tif 000006
【図５】
2013179407.tif 000007
【図６】
2013179407.tif 000008
【図７】
2013179407.tif 000009
【図８】
2013179407.tif 000010
【図９】
2013179407.tif 000011
【図１０】
2013179407.tif 000012
【図１１】
2013179407.tif 000013